(57)【要約】【課題】受信者側における検索機能及び保管スペース削減機能に優れているとともに、送信者側においては記載内容を事後的に変更可能であるとともに名刺不足のおそれも生じない情報交換システムの提供を目的とする。【解決手段】本発明は、携帯端末に内蔵される非接触ＩＣチップと近距離無線通信を行うことのできる携帯用リーダライタと、この携帯端末と通信ネットワークによって接続されるサーバとを備える情報交換システムであって、非接触ＩＣチップと携帯用リーダライタとの近距離無線通信により、非接触ＩＣチップＩＤ及びリーダライタＩＤと関連付けられて保存されるプロフィール情報の送受信を行うことができる情報交換システムである。【選択図】図１
2011227881.tif 000002
【特許請求の範囲】
【請求項１】
携帯端末に内蔵される非接触ＩＣチップと近距離無線通信を行うことのできる携帯用リーダライタと、
この携帯端末と通信ネットワークで接続されるサーバと
を備える情報交換システムにおいて、
上記携帯用リーダライタが、
非接触ＩＣチップとの近距離無線通信によりこの非接触ＩＣチップＩＤを受信する非接触ＩＣチップＩＤ受信手段と、
受信した非接触ＩＣチップＩＤ及びリーダライタＩＤを関連付けて非接触ＩＣチップに送信するＩＤ送信手段とを有し、
上記サーバが、
関連付けられた上記リーダライタＩＤ及び非接触ＩＣチップＩＤを携帯端末から受信するＩＤ受信手段と、
上記リーダライタＩＤ及び非接触ＩＣチップＩＤの初回受信時にこれらのＩＤを親ＩＤとして登録する第一のＩＤ登録手段と、
この携帯端末にホームページ画面を表示させる第一のホームページ表示手段と、
上記ホームぺージ画面を介して、上記携帯端末のユーザを登録する第一のユーザ登録手段と、
上記第一のユーザ登録手段によるユーザ登録の後、上記携帯端末にプロフィール管理画面を表示させる第一のプロフィール管理画面表示手段と、
上記プロフィール管理画面を介して表示されるプロフィール登録画面における入力及び送信操作に起因して、携帯端末から受信したプロフィール情報を、上記リーダライタＩＤ及び非接触ＩＣチップＩＤと関連付けて保存する第一のプロフィール情報保存手段と、
上記親ＩＤとして登録されたリーダライタＩＤと、このリーダライタＩＤが親として登録されていない非接触ＩＣチップＩＤとを受信した場合に、この非接触ＩＣチップＩＤを有する携帯端末にこのリーダライタＩＤと関連付けられているプロフィール情報を表示させるプロフィール情報表示手段と
を有する情報交換システム。
【請求項２】
上記サーバが、
未登録の非接触ＩＣチップＩＤと、この非接触ＩＣチップＩＤ以外の非接触ＩＣチップＩＤが親ＩＤとして対をなして登録されたリーダライタＩＤとを受信した場合、この非接触ＩＣチップＩＤを親ＩＤとして登録し、かつこのリーダライタＩＤをこの親ＩＤに対する子ＩＤとして登録する第二のＩＤ登録手段と、
この非接触ＩＣチップＩＤを有する携帯端末にホームページ画面を表示させる第二のホームページ表示手段と、
上記ホームぺージ画面を介して、上記携帯端末のユーザを登録する第二のユーザ登録手段と、
上記第二のユーザ登録手段によるユーザ登録の後、上記携帯端末にプロフィール管理画面を表示させる第二のプロフィール管理画面表示手段と、
上記プロフィール管理画面を介して表示されるプロフィール登録画面における入力及び送信操作に起因して、携帯端末から受信したプロフィール情報を、上記非接触ＩＣチップＩＤと関連付けて保存する第二のプロフィール情報保存手段とを有する請求項１に記載の情報交換システム。
【請求項３】
上記サーバが、
親として登録された非接触ＩＣチップＩＤと、この非接触ＩＣチップＩＤ以外の非接触ＩＣチップＩＤが親ＩＤとして対をなして登録されたリーダライタＩＤとを受信した場合、このリーダライタＩＤをこの非接触ＩＣチップＩＤに対する子ＩＤとして登録する第三のＩＤ登録手段と、
この非接触ＩＣチップＩＤを有する携帯端末にホームページ画面を表示させる第三のホームページ表示手段と、
上記ホームページ画面から送信される登録情報を受信してこの携帯端末からの利用を許可する第一のログイン手段とを有する請求項１又は請求項２に記載の情報交換システム。
【請求項４】
上記サーバが、
親として登録された非接触ＩＣチップＩＤと、未登録のリーダライタＩＤとを受信した場合、このリーダライタＩＤをこの非接触ＩＣチップＩＤと対をなす親ＩＤとして登録する第四のＩＤ登録手段と、
この非接触ＩＣチップＩＤを有する携帯端末にホームページ画面を表示させる第四のホームページ表示手段と、
上記ホームページ画面から送信される登録情報を受信して、この携帯端末からの利用を許可する第二のログイン手段とを有する請求項１、請求項２又は請求項３に記載の情報交換システム。
【請求項５】
上記サーバが、
親ＩＤとして対をなして登録されたリーダライタＩＤと非接触ＩＣチップＩＤとを受信した場合、この非接触ＩＣチップＩＤを有する携帯端末にホームページ画面を表示させる第五のホームページ表示手段と、
上記ホームページ画面から送信される登録情報を受信して、この携帯端末からの利用を許可する第三のログイン手段とを有する請求項１から請求項４のいずれか１項に記載の情報交換システム。
【請求項６】
上記サーバが、
上記ホームページ画面に固有のＵＲＬをブックマークとして使用させることにより、このホームページ画面を表示させる第六のホームページ表示手段を有する請求項１から請求項５のいずれか１項に記載の情報交換システム。
【請求項７】
上記サーバが、
上記プロフィール登録画面における入力及び送信操作に起因して、プロフィール情報を更新し上書きする情報変更手段を有する請求項１から請求項６のいずれか１項に記載の情報交換システム。
【請求項８】
上記サーバが、
１又は複数の携帯用リーダライタに対応することのできる会員番号を付与する会員番号付与手段と、
上記会員番号をリーダライタのＩＤ及び非接触ＩＣチップＩＤと関連付けて登録する会員番号登録手段とを有する請求項１から請求項７のいずれか１項に記載の情報交換システム。
【請求項９】
上記サーバが、
親ＩＤとして登録されたリーダライタＩＤと、このリーダライタＩＤが親として登録されていない非接触ＩＣチップＩＤとが関連付けられて登録されている場合に、
上記リーダライタＩＤが親ＩＤとして対をなして登録された非接触ＩＣチップＩＤを有する携帯端末に、上記親として登録されていない非接触ＩＣチップに関連付けられているユーザのニックネームを表示させるニックネーム表示手段を有する請求項１から請求項８のいずれか１項に記載の情報交換システム。
【請求項１０】
親ＩＤとして登録されている非接触ＩＣチップＩＤを有する携帯端末のユーザと、この非接触ＩＣチップＩＤと関連付けて登録されている親以外のリーダライタＩＤ及び／又は非接触ＩＣチップＩＤを有するユーザとのメッセージ送受信手段を有する請求項１から請求項９のいずれか１項に記載の情報交換システム。
【請求項１１】
上記サーバが、
送信者のプロフィール情報を受信者側において追加することのできるコメント追加手段を有する請求項１から請求項１０のいずれか１項に記載の情報交換システム。
【発明の詳細な説明】
【技術分野】
【０００１】
本発明は、情報交換システムに関する。
【背景技術】
【０００２】
現在、ビジネスやプライベートの場において、初対面の相手に個人情報を紹介する方法として名刺交換が行われている。
【０００３】
しかし、このような名刺は、一般的には紙製で、縦５．５ｃｍ、横９．０ｃｍ程度に形成されており、廃棄しない限り増加していく。それ故、名刺の受取人は、名刺数の増加に伴い保管スペースも必要となり、また名刺を紛失するおそれも高くなる。さらに、このような名刺は、所持枚数の増加にしたがい所望の名刺を見つけ出す手間も増大する。
【０００４】
一方、このような名刺は、名刺の引渡人側では、通常財布や名刺入れに収納して持ち運ばれる。
【０００５】
しかし、財布や名刺入れに収納できる名刺数は限られているため、必要なときに名刺不足となるおそれがある。また、名刺は通常紙製であるため、名刺作成後に本人の住所や役職等が変更になった場合に名刺の内容を自由に更新することができない。その結果、現状に合わず使用できない名刺が大量に発生し、コスト面における損失を生じ、また環境面における付加も増大する。さらに、かかる名刺は、名刺を受けとった後に引渡人の住所等が変更になると、受取人が却って混乱する場合もある。
【０００６】
このような問題を解決するため、現在では様々な個人情報交換システムが発案されている。例えば、（１）名刺情報提供システム（特開２００９−６４３７１号公報参照）、（２）携帯電話機とタグ付カードとの連携システム（特開２００５−１６７８０３号公報参照）等が発案されている。
【０００７】
しかし、（１）の名刺情報提供システムは、引渡人側で紙製の名刺と２次元コードとを作成しなければならず、名刺作成に手間が掛かるとともに、受取人側における名刺保管スペースの削減効果が得られる訳でもない。また、（１）の名刺情報提供システムは、引渡人側及び受取人側の双方においてパソコンが必要とされるので、多くの人が手軽に利用できるものではない。さらに、（１）の名刺情報提供システムは、名刺の受取人が、紙製の名刺とパソコン画面とによって名刺情報を管理することになるので、従来の紙製の名刺のみの管理と比較して、却って管理に手間が掛かるおそれがある。
【０００８】
（２）の携帯電話機とタグ付カードとの連携システムは、従来の紙製の名刺にＲＦＩＤタグを取り付けたものを使用するので、個々の名刺に必要なコストが著しく増加する。また、（２）の連携システムは、従来の紙製の名刺に加えてＲＦＩＤタグを使用するので、名刺の保管スペースの削減効果は得られず、却って保管スペースの増加を招くおそれがある。
【０００９】
このように、名刺等の個人情報交換システムは、受取人側では、保管スペースを節約でき、検索にも手間がかからず、引渡人の住所等が変更した場合には変更後の内容が反映されることが望まれている。さらに、引渡人においても、手持ちの数量等を気にすることなく手軽に携帯でき、かつ名刺に記載された情報が現在の状況を反映していない場合には、記載内容を事後的に変更できることが望まれている。しかし、このような機能を備えた個人情報交換システムは現在のところ存在していない。
【先行技術文献】
【特許文献】
【００１０】
【特許文献１】特開２００９−６４３７１号公報
【特許文献２】特開２００５−１６７８０３号公報
【発明の概要】
【発明が解決しようとする課題】
【００１１】
本発明はこれらの不都合に鑑みてなされたものであり、情報の受取人にとっては、従来の紙製の名刺では必要であった保管スペースが不要であるとともに、検索機能に優れており、他方、情報の引渡人にとっては、名刺不足の心配がなく、かつ記載内容を事後的に容易に改変することのできる情報提供システムの提供を目的とするものである。
【課題を解決するための手段】
【００１２】
上記課題を解決するためになされた発明は、
携帯端末に内蔵される非接触ＩＣチップと近距離無線通信を行うことのできる携帯用リーダライタと、
この携帯端末と通信ネットワークで接続されるサーバと
を備える情報交換システムにおいて、
上記携帯用リーダライタが、
非接触ＩＣチップとの近距離無線通信によりこの非接触ＩＣチップＩＤを受信する非接触ＩＣチップＩＤ受信手段と、
受信した非接触ＩＣチップＩＤ及びリーダライタＩＤを関連付けて非接触ＩＣチップに送信するＩＤ送信手段とを有し、
上記サーバが、
関連付けられた上記リーダライタＩＤ及び非接触ＩＣチップＩＤを携帯端末から受信するＩＤ受信手段と、
上記リーダライタＩＤ及び非接触ＩＣチップＩＤの初回受信時にこれらのＩＤを親ＩＤとして登録する第一のＩＤ登録手段と、
この携帯端末にホームページ画面を表示させる第一のホームページ表示手段と、
上記ホームぺージ画面を介して、上記携帯端末のユーザを登録する第一のユーザ登録手段と、
上記第一のユーザ登録手段によるユーザ登録の後、上記携帯端末にプロフィール管理画面を表示させる第一のプロフィール管理画面表示手段と、
上記プロフィール管理画面を介して表示されるプロフィール登録画面における入力及び送信操作に起因して、携帯端末から受信したプロフィール情報を、上記リーダライタＩＤ及び非接触ＩＣチップＩＤと関連付けて保存する第一のプロフィール情報保存手段と、
上記親ＩＤとして登録されたリーダライタＩＤと、このリーダライタＩＤが親として登録されていない非接触ＩＣチップＩＤとを受信した場合に、この非接触ＩＣチップＩＤを有する携帯端末にこのリーダライタＩＤと関連付けられているプロフィール情報を表示させるプロフィール情報表示手段と
を有する情報交換システムである。
【００１３】
当該情報交換システムは、プロフィール情報受信者の携帯端末に内蔵される非接触ＩＣチップＩＤ及びプロフィール情報送信者のリーダライタＩＤを近距離無線通信することによってプロフィール交換をすることができるので、プロフィール情報送信者としては、従来のように名刺を一枚づつ持ち運ぶ必要がなく、名刺不足を生じるおそれがない。一方、当該情報交換システムは、プロフィール情報受信者としては、サーバに保存されるプロフィール情報を検索することにより送信者情報を得ることができるので、所望のプロフィール情報を効率的に探すことができる。加えて、当該情報交換システムは、多数の紙名刺を保管、管理等する必要がないので、保管スペースを削減することができる。
【００１４】
上記サーバが、未登録の非接触ＩＣチップＩＤと、この非接触ＩＣチップＩＤ以外の非接触ＩＣチップＩＤが親ＩＤとして対をなして登録されたリーダライタＩＤとを受信した場合、この非接触ＩＣチップＩＤを親ＩＤとして登録し、かつこのリーダライタＩＤをこの親ＩＤに対する子ＩＤとして登録する第二のＩＤ登録手段と、この非接触ＩＣチップＩＤを有する携帯端末にホームページ画面を表示させる第二のホームページ表示手段と、上記ホームぺージ画面を介して、上記携帯端末のユーザを登録する第二のユーザ登録手段と、上記第二のユーザ登録手段によるユーザ登録の後、上記携帯端末にプロフィール管理画面を表示させる第二のプロフィール管理画面表示手段と、上記プロフィール管理画面を介して表示されるプロフィール登録画面における入力及び送信操作に起因して、携帯端末から受信したプロフィール情報を、上記非接触ＩＣチップＩＤと関連付けて保存する第二のプロフィール情報保存手段とを有するとよい。これにより、自らが携帯用リーダライタを所有していない場合であっても他のユーザのプロフィール情報を閲覧することができる。その結果、当該情報交換システムは、著しく利便性を向上することができる。
【００１５】
上記サーバが、親として登録された非接触ＩＣチップＩＤと、この非接触ＩＣチップＩＤ以外の非接触ＩＣチップＩＤが親ＩＤとして対をなして登録されたリーダライタＩＤとを受信した場合、このリーダライタＩＤをこの非接触ＩＣチップＩＤに対する子ＩＤとして登録する第三のＩＤ登録手段と、この非接触ＩＣチップＩＤを有する携帯端末にホームページ画面を表示させる第三のホームページ表示手段と、上記ホームページ画面から送信される登録情報を受信して、この携帯端末からの利用を許可する第一のログイン手段とを有するとよい。これにより、一旦親として登録された非接触ＩＣチップＩＤを有する携帯端末のユーザと他のユーザとのプロフィール交換をさらに効率的に行うことができる。
【００１６】
上記サーバが、親として登録された非接触ＩＣチップＩＤと、未登録のリーダライタＩＤとを受信した場合、このリーダライタＩＤをこの非接触ＩＣチップＩＤと対をなす親ＩＤとして登録する第四のＩＤ登録手段と、この非接触ＩＣチップＩＤを有する携帯端末にホームページ画面を表示させる第四のホームページ表示手段と、上記ホームページ画面から送信される登録情報を受信して、この携帯端末からの利用を許可する第二のログイン手段とを有するとよい。これにより、新たに所持した携帯用リーダライタのＩＤを、既に親として登録されている非接触ＩＣチップＩＤと対をなす親ＩＤとして容易に登録することができる。その結果、当該情報交換システムは、新たに携帯用リーダライタ３を所持することで、自らのプロフィール情報を他のユーザに容易に送信することができる。
【００１７】
上記サーバが、親ＩＤとして対をなして登録されたリーダライタＩＤと非接触ＩＣチップＩＤとを受信した場合、この非接触ＩＣチップＩＤを有する携帯端末にホームページ画面を表示させる第五のホームページ表示手段と、上記ホームページ画面から送信される登録情報を受信して、この携帯端末からの利用を許可する第三のログイン手段とを有するとよい。これにより、親ＩＤを有する携帯用リーダライタと、親ＩＤを有する非接触ＩＣチップを内蔵した携帯端末とを有していれば、いつでもホームページ画面及びこれを介して表示されるプロフィール管理画面を閲覧することができる。その結果、当該情報交換システムは、送信者のプロフィール情報を、このプロフィール管理画面からいつでも閲覧することができ、利便性をさらに向上することができる。
【００１８】
上記サーバが、上記ホームページ画面に固有のＵＲＬをブックマークとして使用させることにより、このホームページ画面を表示させる第六のホームページ表示手段を有するとよい。これにより、当該情報交換システムは、親ＩＤを有する携帯用リーダライタを保持しないユーザであっても、容易に利用することができる。その結果、当該情報交換システムは、さらにユーザを拡大することができ、普及性を高めることができる。
【００１９】
上記サーバが、上記プロフィール登録画面における入力及び送信操作に起因して、プロフィール情報を更新し上書きする情報変更手段を有するとよい。これにより、プロフィール交換時の登録内容がプロフィール送信者の現状と合致していない場合であっても、この情報を容易に更新することができる。その結果、当該情報交換システムは、プロフィール情報を受信したユーザに対して、常に最新の情報を提供することができる。
【００２０】
上記サーバが、１又は複数の携帯用リーダライタに対応することのできる会員番号を付与する会員番号付与手段と、上記会員番号をリーダライタのＩＤ及び非接触ＩＣチップＩＤと関連付けて登録する会員番号登録手段とを有すとよい。これにより、所定の資格を有する者に会員番号を付与し、かかる会員番号を付与された者を介して当該情報交換システムのユーザを管理することができる。また、当該情報交換システムは、会員番号を付与された者の管理状況等を監視し、報酬等を付与することができる。
【００２１】
上記サーバが、親ＩＤとして登録されたリーダライタＩＤと、このリーダライタＩＤが親として登録されていない非接触ＩＣチップＩＤとが関連付けられて登録されている場合に、上記リーダライタＩＤが親ＩＤとして対をなして登録された非接触ＩＣチップＩＤを有する携帯端末に、上記親として登録されていない非接触ＩＣチップに関連付けられているユーザのニックネームを表示させるニックネーム表示手段を有するとよい。これにより、誰に対してプロフィール情報を送信したかを容易に確認することができる。
【００２２】
親ＩＤとして登録されている非接触ＩＣチップＩＤを有する携帯端末のユーザと、この非接触ＩＣチップＩＤと関連付けて登録されている親以外のリーダライタＩＤ及び／又は非接触ＩＣチップＩＤを有するユーザとのメッセージ送受信手段を有するとよい。これにより、所望の情報を特定の相手に対してのみ伝達することができる。また、当該情報交換システムは、常時閲覧する必要のない、その場限りの情報の伝達を好適に行うことができる。
【００２３】
上記サーバが、送信者のプロフィール情報を受信者側において追加することのできるコメント追加手段を有するとよい。これにより、プロフィール情報の受信者が、必要な情報を任意に付加することができる。
【発明の効果】
【００２４】
以上説明したように、本発明の情報交換システムは、情報の受取人側では、従来の紙製の名刺では必要とされたような保管スペースを省略することができるとともに、検索容易性を高めることができ、他方、情報の引渡人側では、名刺不足の心配を解消できるとともに、記載内容を事後的に容易に改変することができる。
【図面の簡単な説明】
【００２５】
【図１】本発明の一実施形態に係る情報交換システムを示す概略ブロック図である。
【図２】図１の情報交換システムにおける携帯端末とサーバとの接続方法を示すシーケンス図である。
【図３】図１の情報交換システムの携帯端末に表示されるホームページ画面の一例を示す図である。
【図４】図１の情報交換システムのユーザ登録画面の一例を示す図である。
【図５】図１の情報交換システムのプロフィール管理画面の一例を示す図である。
【図６】図１の情報交換システムのマイ画像登録画面の一例を示す図である。
【図７】図１の情報交換システムのプロフィール登録画面の一例を示す図である。
【図８】図７のプロフィール登録画面を経て作成されるプロフィール画面の一例を示す図である。
【図９】図２の接続方法とは異なる接続方法を示すシーケンス図である。
【図１０】図１の情報交換システムにおけるプロフィール送信者を表示するプロフィール画面の一例を示す図である。
【図１１】図１０のプロフィール画面に表示されるコメントの編集を行うコメント編集画面の一例を示す図である。
【図１２】図２及び図９の接続方法とは異なる接続方法を示すシーケンス図である。
【図１３】図２、図９及び図１２の接続方法とは異なる接続方法を示すシーケンス図である。
【図１４】図２、図９、図１２及び図１３の接続方法とは異なる接続方法を示すシーケンス図である。
【図１５】図１の情報交換システムとは異なる形態に係る情報交換システムを示す概略ブロック図である。
【図１６】図１５の情報交換システムのプロフィール管理画面の一例を示す図である。
【図１７】図１５の情報交換システムの会員番号申請画面の一例を示す図である。
【図１８】図１、図１５の情報交換システムとは異なる形態に係る情報交換システムを示す概略ブロック図である。
【発明を実施するための形態】
【００２６】
以下、適宜図面を参照しつつ本発明の実施の形態を詳説する。
【００２７】
図１の情報交換システム１は、ネットワーク２と、携帯用リーダライタ３と、携帯端末４と、サーバ５とを有している。携帯用リーダライタ３及び携帯端末４は、実際には複数存在している。しかし、図１では煩雑さ回避のため、携帯用リーダライタ３及び携帯端末４を各一つずつであるとして説明する。
【００２８】
ネットワーク２は、典型的にはインターネットである。ネットワーク２は、携帯端末４及びサーバ５を接続可能に構成されている。ネットワーク２は、携帯端末４とサーバ５とを直接接続してもよく、また移動通信網用サーバ（図示せず）を介して接続してもよい。移動通信網用サーバを介して携帯端末４とサーバ５とを接続する場合、携帯端末４と移動通信網用サーバとは、移動通信網（図示せず）によって接続され、移動通信網用サーバとサーバ５とがネットワーク２によって接続される。移動通信網用サーバとしては、ｉモード（登録商標）サーバ等が存在する。
【００２９】
携帯用リーダライタ３は、通信部６と、通信制御部７と、記憶部８とを有している。携帯用リーダライタ３は、一般的には、扁平な直方体状に形成されている。携帯用リーダライタ３の大きさとしては、奥行及び幅が２．５ｃｍ〜４．０ｃｍ程度、高さが０．５ｃｍ〜２．０ｃｍ程度とされている。
【００３０】
通信部６は、アンテナ（図示せず）を有している。通信部６は、アンテナを介して携帯端末４の有する非接触ＩＣチップ１５との間の近距離無線通信を行う。通信部６は、携帯端末４から非接触ＩＣチップＩＤを受信する。また、通信部６は、暗号化された非接触ＩＣチップＩＤ及びリーダライタＩＤ、並びにサーバ５のホームページに接続するための固有のＵＲＬを携帯端末４に送信する。
【００３１】
通信制御部７は、携帯用リーダライタ３と非接触ＩＣチップ１５との近距離無線通信を制御する。通信制御部７は、非接触ＩＣチップ１５との近距離無線通信によって携帯端末４側から非接触ＩＣチップＩＤを受信すると、この非接触ＩＣチップＩＤと記憶部８に格納されているリーダライタＩＤとを記憶部８に格納されている乱数表に基づいて暗号化する。通信制御部７は、これらの暗号化されたＩＤ及び記憶部８に格納されているサーバ５のホームページに接続するための固有のＵＲＬを携帯端末４側に送信する。携帯用リーダライタ３と非接触ＩＣチップ１５との近距離無線通信は、携帯用リーダライタ３が備える送信スイッチ（図示せず）を押すことによって実行される。
【００３２】
記憶部８は、通信制御部７が実行する動作プログラムや、この動作プログラムの処理に必要となるデータ等を記憶する。記憶部８には、リーダライタＩＤ、乱数表及びこの乱数表に基づいてリーダライタＩＤと非接触ＩＣチップＩＤとを暗号化する暗号化プログラムが格納されている。また、記憶部８には、サーバ５のホームページに接続するための固有のＵＲＬが格納されている。
【００３３】
携帯端末４は、通信部９と、入力部１０と、表示部１１と、制御部１２と、記憶部１３とを有している。
【００３４】
通信部９は、アンテナ（図示せず）を有している。通信部９は、アンテナを介して携帯用リーダライタ３との間の近距離無線通信を行う。また、通信部９は、アンテナを介してサーバ５とのネットワーク通信を行う。通信部９は、携帯用リーダライタ３及びサーバ５から受信した信号を通信制御部１４に通知する。通信部９は、通信制御部１４から受信した信号を携帯用リーダライタ３及びサーバ５に送信する。
【００３５】
入力部１０は、プッシュボタンやカーソルキー等の各種ボタンを有している。入力部１０は、ユーザからの入力によって、その入力内容に応じた操作信号を制御部１２に通知する。
【００３６】
表示部１１は、液晶その他の表示素子によって構成されている。表示部１１は、文字情報や映像・画像情報、操作・動作に係る種々の情報の表示を行う。
【００３７】
制御部１２は、通信制御部１４と、非接触ＩＣチップ１５とを有している。
【００３８】
通信制御部１４は、携帯用リーダライタ３と携帯端末４との近距離無線通信の制御を行う。通信制御部１４は、非接触ＩＣチップ１５に格納されている非接触ＩＣチップＩＤを携帯用リーダライタ３側に送信する。さらに、通信制御部１４は、携帯用リーダライタ３側から送られる暗号化されたリーダライタＩＤ、暗号化された非接触ＩＣチップＩＤ及び所定のＵＲＬを非接触ＩＣチップ１５に送信する。また、通信制御部１４は、携帯端末４とサーバ５とのネットワーク通信を制御する。
【００３９】
非接触ＩＣチップ１５は、携帯用リーダライタ３から所定の電磁波を受信することにより起動する。非接触ＩＣチップ１５は、固有の非接触ＩＣチップＩＤを有している。非接触ＩＣチップ１５は、携帯用リーダライタ３との近距離無線通信により非接触ＩＣチップＩＤを携帯用リーダライタ３側に送信する。非接触ＩＣチップ１５は、携帯用リーダライタ３側から、暗号化されたリーダライタＩＤ及び暗号化された非接触ＩＣチップＩＤ、並びにサーバ５のホームページに接続するための固有のＵＲＬを受け取ると、携帯端末４のブラウザを立ち上げる。非接触ＩＣチップ１５は、これらの暗号化されたリーダライタＩＤ及び暗号化された非接触ＩＣチップＩＤ、並びにサーバ５のホームページへの接続ＵＲＬを表示してサーバ５に接続する。非接触ＩＣチップ１５としては、例えば、フェリカ（登録商標）チップを挙げることができる。
【００４０】
記憶部１３は、通信制御部１４が実行する動作プログラムや、この動作プログラムの処理に必要となるデータ等を記憶する。
【００４１】
サーバ５は、通信部１６と、制御部１７と、記憶部１８とを有している。
【００４２】
通信部１６は、ネットワーク２を介して携帯端末４とのネットワーク通信を行う。通信部１６は、携帯端末４から送信されるリーダライタＩＤ、非接触ＩＣチップＩＤ等を受信する。通信部１６は、携帯端末４から受信したリーダライタＩＤ、非接触ＩＣチップＩＤ及びその他の信号を通信制御部１９に通知する。また、通信部１６は、通信制御部１９から受信した信号を携帯端末４に送信する。
【００４３】
制御部１７は、通信制御部１９と、登録処理部２０と、ウェブページ表示処理部２１と、ログイン処理部２２と、プロフィール処理部２３と、プロフィール更新処理部２４と、ニックネーム表示処理部２５と、メッセージ処理部２６と、コメント処理部２７とを有している。
【００４４】
通信制御部１９は、携帯端末４とサーバ５とのネットワーク通信の制御を行う。通信制御部１９は、暗号処理部（図示せず）を有している。暗号処理部は、携帯端末４から送信される暗号化されたリーダライタＩＤと暗号化された非接触ＩＣチップＩＤとを復号化する。暗号処理部は、これらの復号化したＩＤと、事前に記憶部１８に記憶されているリーダライタＩＤ及び非接触ＩＣチップＩＤとを照合する。暗号処理部は、この照合結果を携帯端末４に送信する。
【００４５】
登録処理部２０は、ＩＤ登録処理部と、ユーザ登録処理部とを有している（ともに図示せず）。
【００４６】
ＩＤ登録処理部は、携帯端末４から送信されるリーダライタＩＤ及び非接触ＩＣチップＩＤを登録する。ＩＤ登録部は、送信されるリーダライタＩＤ又は非接触ＩＣチップＩＤがサーバ５に未登録の場合（サーバ５が初めて登録するＩＤである場合）、これらの未登録ＩＤを新規に受信した親ＩＤとして登録する。他方、ＩＤ登録部は、送信されるリーダライタＩＤが別の非接触ＩＣチップＩＤとの関係で、親ＩＤとして既に登録されている場合、このリーダライタＩＤを共に送信される非接触ＩＣチップＩＤと関連付けて子ＩＤとして登録する。なお、親ＩＤは自らのプロフィール情報等を管理するために利用される。また、子ＩＤは他のユーザとのコミュニケーションを図るために用いられる。ＩＤ登録部による登録は、リーダライタＩＤ及び／又は非接触ＩＣチップＩＤを記憶部１８に格納することによって行われる。
【００４７】
ユーザ登録処理部は、携帯端末４のユーザによる入力及び送信操作に基づいて、携帯端末４のユーザ情報を登録する。ユーザ登録処理部によるユーザ登録は、各ユーザに固有のユーザＩＤを記憶部１８に格納することにより行われる。ユーザ登録処理部は、各ユーザに固有のユーザＩＤを、上記親ＩＤと関連付けて記憶部１８に格納する。
【００４８】
ウェブページ表示処理部２１は、ホームページ表示部と、プロフィール管理画面表示部とを有している（ともに図示せず）。
【００４９】
ホームページ表示部は、リーダライタＩＤ及び非接触ＩＣチップＩＤを受信することにより、又はホームページ画面に固有のＵＲＬをブックマークとして使用させることによって、携帯端末４にホームページ情報（ｈｔｍｌファイルや画像ファイル等）を送信する。
【００５０】
プロフィール管理画面表示部は、ユーザ登録処理又はログイン処理ののち、携帯端末４にプロフィール管理画面情報（ｈｔｍｌファイルや画像ファイル等）を送信する。
【００５１】
ログイン処理部２２は、携帯端末４から送信されるメールアドレスや所定のパスワードが事前に登録されているものと一致しているか否かを判断する。ログイン処理部２２は、これらのメールアドレスやパスワードが一致していると判断した場合、ログイン許可を行う。他方、ログイン処理部２２は、メールアドレスやパスワードが一致していないと判断した場合、ログイン要求を拒絶する。
【００５２】
プロフィール処理部２３は、携帯端末４の入力部１０から入力されるプロフィール情報を、親ＩＤを有するリーダライタＩＤ及び親ＩＤを有する非接触ＩＣチップＩＤと関連付けて記憶部１８に格納する。また、プロフィール処理部２３は、記憶部１８に格納されているプロフィール情報を親ＩＤ又は親ＩＤ以外のＩＤを有する携帯端末４からの要求に応じて送信する。
【００５３】
プロフィール更新処理部２４は、携帯端末４からの要求にしたがい、記憶部１８に格納されているプロフィール情報を取り出す。プロフィール更新処理部２４は、携帯端末４からの入力及び送信操作に基づいてこのプロフィール情報を更新したうえで、更新後のプロフィール情報を記憶部１８に格納する。
【００５４】
ニックネーム表示処理部２５は、親ＩＤとして登録されたリーダライタＩＤと、このリーダライタＩＤが親として登録されていない非接触ＩＣチップＩＤとが関連付けられて登録されている場合に、このリーダライタＩＤが親ＩＤとして対をなして登録された非接触ＩＣチップＩＤを有する携帯端末４に、上記親として登録されていない非接触ＩＣチップＩＤに関連付けられているユーザのニックネーム情報を送信する。
【００５５】
メッセージ処理部２６は、携帯端末４から送信されるメッセージを送信側及び受信側の非接触ＩＣチップＩＤと関連付けて記憶部１８に格納する。また、メッセージ処理部２６は、受信側の携帯端末からの要求に応じて、このメッセージを送信する。
【００５６】
コメント処理部２７は、携帯端末４から送信される、プロフィール情報の送信者に対するコメントを記憶部１８に格納する。また、コメント処理部２７は、携帯端末４からの要求に応じて、記憶部１８に格納されているコメントを返信する。コメント処理部２７は、送信者と受信者とを特定することによって定められる固有のＩＤと関連付けてこのコメントを格納する。
【００５７】
記憶部１８は、通信制御部１９、登録処理部２０、ウェブページ表示処理部２１、ログイン処理部２２、プロフィール処理部２３、プロフィール更新処理部２４、ニックネーム表示処理部２５、メッセージ処理部２６、コメント処理部２７等が実行する動作プログラムや、この動作プログラムの処理に必要となるデータ等を記憶する。記憶部１８には、リーダライタＩＤ、非接触ＩＣチップＩＤ、ユーザ情報等が格納される。また、記憶部１８には、暗号化されたリーダライタＩＤ及び暗号化された非接触ＩＣチップＩＤを復号化するための復号鍵が格納される。
【００５８】
次に、図２を参照して、携帯用リーダライタ３と非接触ＩＣチップ１５との近距離無線通信を起点として行われる、携帯端末４とサーバ５との接続方法等について説明する。図２では、携帯用リーダライタ３のリーダライタＩＤ及び携帯端末４の非接触ＩＣチップＩＤが共に未登録である場合を説明する。
【００５９】
まず、携帯用リーダライタ３は、ユーザによって送信スイッチが押されると、携帯端末４の有する非接触ＩＣチップと近距離無線通信を行う。これにより、携帯用リーダライタ３は、携帯端末４から非接触ＩＣチップＩＤを受信する（非接触ＩＣチップＩＤ受信手段）。携帯用リーダライタ３は、記憶部８に格納されているリーダライタＩＤ及び受信した非接触ＩＣチップＩＤを、記憶部８に格納されている乱数表に基づき暗号化したうえで、携帯端末４に送信する（ＩＤ送信手段）。また、携帯用リーダライタ３は、これらの暗号化されたＩＤとともに、記憶部８に保存されている、サーバ５のホームページに接続するためのＵＲＬを携帯端末４に送信する。
【００６０】
携帯端末４の非接触ＩＣチップ１５は、この暗号化されたリーダライタＩＤ、暗号化された非接触ＩＣチップＩＤ及びサーバ５のホームページに接続するためのＵＲＬを受信する。そして、非接触ＩＣチップ１５は、携帯端末４のブラウザを立ち上げ、サーバ５のホームページに接続するためのＵＲＬ並びに暗号化されたリーダライタＩＤ及び暗号化された非接触ＩＣチップＩＤを表示してサーバ５に接続する。
【００６１】
サーバ５は、これらの暗号化されたＩＤを受信する（ＩＤ受信手段）。サーバ５は、これらのＩＤを復号化して、認証結果を携帯端末４に送信する。携帯端末４は、この認証を受けて、サーバ５のホームページへの接続要求を行う。これに対し、サーバ５は、接続許可を行い、ホームページ表示処理部の処理により、ホームページ画面を携帯端末４の表示部１１に表示させる（第一のホームページ表示手段）。
【００６２】
さらに、サーバ５は、ＩＤ登録処理部の処理により、携帯端末４から送信されるリーダライタＩＤ及び非接触ＩＣチップＩＤを、対をなす親ＩＤとして記憶部１８に格納する（第一のＩＤ登録手段）。なお、かかるＩＤ登録は、必ずしもホームページ画面表示後に行われる必要はなく、ホームページ画面表示前に行われてもよく、また後述するユーザ登録後等に行われてもよい。
【００６３】
続いて、サーバ５は、携帯端末４の表示部１１に表示されるホームページ画面を介して携帯端末４のユーザ登録を行う（第一のユーザ登録手段）。ユーザ登録方法を、図３を参照して説明する。
【００６４】
図３のホームページ画面３１は、メールアドレス入力部３２と、パスワード入力部３３と、自動ログインボタン３４と、パスワード確認ボタン３５と、ログインボタン３６と、新規登録ボタン３７とを有している。
【００６５】
メールアドレス入力部３２、パスワード入力部３３、ログインボタン３６は、既にユーザ登録を行ったユーザが当該情報交換システム１を使用する場合に用いられる。ユーザ登録を行ったユーザは、登録時に設定したメールアドレス及びパスワードを、それぞれメールアドレス入力部３２、パスワード入力部３３に入力し、ログインボタン３６を押すことで、サーバ５にログイン要求を行うことができる。サーバ５は、これらのメールアドレス等が登録内容と合致している場合、このユーザのログイン許可を行う。
【００６６】
自動ログインボタン３４は、既にユーザ登録を行ったユーザが使用するボタンである。ユーザ登録を行ったユーザは、このボタンを押してログインすることで、次回以降、ホームページ画面３１を介することなく、後述するプロフィール管理画面を表示することができる。
【００６７】
パスワード確認ボタン３５は、事前に設定したパスワードを忘れた場合に使用するボタンである。設定パスワードを忘れたユーザは、パスワード確認ボタンを押して、これにより表示されるパスワード確認画面（図示せず）において所定の事項を入力する。サーバ５は、これらの入力事項と事前にユーザから入力された事項とが合致しているか否かを判断し、これらが合致している場合にユーザにパスワードを通知する。かかるパスワードは、パスワード確認画面を介して表示される所定の画面に表示してもよく、ユーザに送信するメールに表示してもよい。
【００６８】
なお、既に登録を行ったユーザが行うログイン方法の詳細については後述する。
【００６９】
新規登録ボタン３７は、携帯端末４のユーザを新規に登録するためのボタンである。携帯端末４のユーザが新規登録ボタン３７を押すと、携帯端末４の表示部１１に図４に示すユーザ登録画面４１が表示される。
【００７０】
ユーザ登録画面４１は、ユーザ情報入力部４２と、登録ボタン４３とを有している。ユーザ情報入力部４２は、メールアドレスやパスワード等、所定のユーザ情報を入力する欄である。登録ボタン４３は、入力事項をサーバ５に送信するためのボタンである。サーバ５への登録を希望するユーザは、ユーザ情報入力部４２に必要事項を入力して登録ボタン４３を押すことにより、これらの入力事項をサーバ５へ登録する。入力事項の登録は、サーバ５のユーザ情報登録処理部が入力情報を記憶部１８に格納することにより行われる。これらの入力事項は、親ＩＤとして記憶部１８に格納されているリーダライタＩＤ及び非接触ＩＣチップＩＤと関連付けて記憶部１８に格納される。
【００７１】
なお、かかるユーザ登録は、上述の手順以外によって行うこともできる。例えば、携帯端末４のユーザが新規登録ボタン３７を押すことで、所定のＵＲＬに空メールを送信するようにしてもよい。そして、携帯端末４のユーザがこの空メールに対する返信メールに表示される所定のＵＲＬにアクセスすることにより、ユーザ登録画面４１が表示されるようにしてもよい。
【００７２】
図５のプロフィール管理画面５１は、ユーザ登録後に携帯端末４の表示部１１に表示される画面である。プロフィール管理画面５１は、サーバ５のプロフィール管理画面表示部が、プロフィール管理画面情報（ｈｔｍｌファイルや画像ファイル等）を携帯端末４に送信することにより表示される（第一のプロフィール管理画面表示手段）。
【００７３】
プロフィール管理画面５１は、ユーザメニュー部５２と、プロフィール交換部５３とを有している。
【００７４】
ユーザメニュー部５２は、メッセージ受信部５４と、プロフィール画面プレビュー部５５と、プロフィール登録部５６と、マイ画像登録・削除部５７と、同報メール作成部５８と、ユーザ情報登録部５９とを有している。
【００７５】
メッセージ受信部５４は、プロフィール情報を送受信したことのある相手から受け付けたメッセージを表示するためのボタンである。具体的には、携帯端末４のユーザは、メッセージ受信部５４を押すことで、受信しているメッセージの一覧及びこの一覧を介して表示される個別のメッセージを確認することができる。このようなメッセージの確認は、サーバ５の記憶部１８に格納されているメッセージをメッセージ処理部２６が取り出すことによって行われる。なお、プロフィール情報の送受信方法については後述する。
【００７６】
プロフィール画面プレビュー部５５は、携帯端末４のユーザが作成したプロフィール画面を表示するためのボタンである。プロフィール画面プレビュー部５５は、携帯端末４のユーザに選択されることにより、表示部１１にプロフィール画面を表示する。
【００７７】
プロフィール登録部５６は、携帯端末４のユーザに選択されることにより、プロフィール登録画面を表示する。
【００７８】
マイ画像登録・削除部５７は、携帯端末４のユーザに選択されることにより、プロフィール画面に表示される自身の顔写真、アイコン等の登録画面を表示する。
【００７９】
同報メール作成部５８は、携帯端末４のユーザに選択されることにより、プロフィールを送受信したことのある相手に対して同報メールを作成するための画面を表示する。具体的には、携帯端末４のユーザは、まず同報メール作成部５８を押す。そして、携帯端末４のユーザは、これにより表示される同報メール作成画面（図示せず）において、プロフィール情報を送受信したことのある１又は複数のユーザを選択したうえで所望のメールを作成し、サーバ５に送信する。サーバ５は、受信したメールを、メッセージ処理部２６の処理により携帯端末４の非接触ＩＣチップＩＤ及びメッセージ受信者の携帯端末（図示せず）の非接触ＩＣチップＩＤと関連付けて記憶部１８に格納する。これにより、同報メール受信先のユーザは、サーバ５を介して容易に同報メールを閲覧することができる（なお、同報メール作成部５８の選択を介して行われる同報メールの作成・送信手段、及び上述のメッセージ受信部５４の選択を介して行われるメッセージの確認手段を合わせてメッセージ送受信手段を形成する）。
【００８０】
ユーザ情報登録部５９は、携帯端末４のユーザに選択されることにより、ユーザ情報として登録されている内容を変更するための画面を表示する。具体的には、ユーザ情報登録部５９は、携帯端末４のユーザに選択されることにより、携帯端末４の表示部１１にユーザ登録画面４１を表示する。
【００８１】
プロフィール交換部５３は、プロフィール送信者表示部５３ａと、プロフィール受信者表示部５３ｂとを有している。
【００８２】
プロフィール送信者表示部５３ａは、携帯端末４の非接触ＩＣチップ以外の非接触ＩＣチップが親ＩＤとして対をなして登録されたリーダライタＩＤに係るユーザのニックネームを表示する。詳細には、プロフィール送信者表示部５３ａは、親ＩＤを有する非接触ＩＣチップＩＤに対する子ＩＤとして登録されたリーダライタＩＤを有する携帯用リーダライタ３のユーザのニックネームを表示する。携帯端末４のユーザは、プロフィール送信者表示部５３ａに表示されるユーザのニックネームを選択することで、このニックネームに対応するユーザのプロフィール情報をサーバ５から取得して閲覧することができる（プロフィール情報表示手段）。
【００８３】
プロフィール受信者表示部５３ｂは、親ＩＤとして登録された非接触ＩＣチップＩＤ以外の非接触ＩＣチップＩＤが親ＩＤとして登録されているユーザのニックネームを表示する。具体的には、プロフィール受信者表示部５３ｂは、親ＩＤを有する携帯用リーダライタ３と、親以外の非接触ＩＣチップＩＤとを近距離無線通信させた場合の、親以外の非接触ＩＣチップＩＤを有する携帯端末のユーザのニックネームを表示する（ニックネーム表示手段）。
【００８４】
これにより、当該情報交換システム１は、誰に対してプロフィール情報を送信したかを容易に確認することができる。
【００８５】
なお、プロフィール受信者表示部５３ｂでは、ニックネーム表示処理部２５の処理によって、携帯端末４のユーザは、受信者のニックネームを見ることはできるが、このニックネームを押しても相手のプロフィール情報を閲覧することができないように設定されている。従って、当該情報交換システム１は、プロフィール情報を送信していないユーザに自らのプロフィール情報を閲覧されるおそれがなく、高いセキュリティー性を保つことができる。
【００８６】
また、プロフィール交換部５３では、プロフィール交換を行った送信者及び受信者のニックネームを直接表示するのではなく、送信者及び受信者の入力に基づく所定の区分（「プライベート」、「ビジネス」等）を作成し、この区分を表示するようにしてもよい。そして、携帯端末４のユーザがこの区分をクリックすることにより各区分に分類された送信者及び受信者のニックネームが表示されるようにしてもよい。これにより、プロフィール交換を行った送信者又は受信者が増加した場合であっても、所望の相手を容易に検索することができる。
【００８７】
次に、図６、７及び８を参照して、プロフィール管理画面５１を介して行われるプロフィール情報作成方法について説明する。
【００８８】
図６（１）のマイ画像登録画面６１は、マイ画像登録・削除部５７を選択することで表示される画面である。マイ画像登録画面６１は、マイ画像登録部６２と、マイ画像削除部６３とを有している。
【００８９】
マイ画像登録部６２には、所定のＵＲＬへ接続するためのリンクが貼られている。携帯端末４のユーザは、このＵＲＬに対してメールの添付資料として画像を送信することにより、所望の画像をサーバ５の記憶部１８に格納する。
【００９０】
マイ画像削除部６３は、携帯端末４のユーザに選択されることにより、サーバ５に格納されたマイ画像を削除するためのマイ画像削除画面６４を表示する。
【００９１】
図６（２）のマイ画像削除画面６４は、削除画像表示部６５と、削除画像選択部６６と、削除ボタン６７とを有している。
【００９２】
削除画像表示部６５には、マイ画像登録を経てサーバ５の記憶部１８に格納されている画像が表示される。
【００９３】
削除画像選択部６６は、携帯端末４のユーザに選択されることにより、削除する画像を決定する。
【００９４】
削除ボタン６７は、携帯端末４のユーザに選択されることにより、削除決定されている画像をサーバ５の記憶部１８から削除する。
【００９５】
図７のプロフィール登録画面７１は、デザインパターン選択部７２と、画像選択部７３と、文言設定部７４と、登録ボタン７５とを有している。なお、プロフィール登録画面７１による登録を経て表示される画面が図８のプロフィール画面８１である。プロフィール画面８１は、プロフィール管理画面５１のプロフィール画面プレビュー部５５を選択することにより閲覧することができる。
【００９６】
デザインパターン選択部７２は、プロフィール画面８１の背景画面を選択するためのものである。携帯端末４のユーザは、予め定められ、サーバ５の記憶部１８に保存されている背景画面の中から所望のデザインパターンを選択して背景画面とする。かかる背景画面としては、例えば、「ショップ調」、「ノスタルジア調」、「ゴシック調」等があり、個人がビジネスやプライベートにおいて好適に利用できるだけでなく、店舗等が店舗紹介ページとして利用するのにも適している。
【００９７】
画像選択部７３は、プロフィール画面８１においてユーザ表示部８２に表示される画像を選択するためのものである。携帯端末４のユーザは、マイ画像登録によってサーバ５の記憶部１８に格納されているうちの所望の画像を選択して画像選択部７３に入力することにより、ユーザ表示部８２に表示される画像を選択する。
【００９８】
文言設定部７４は、プロフィール画面８１のユーザ紹介部８３において、携帯端末４のユーザがアピールしたい項目及び各項目に対するアピール内容を入力するためのものである。文言設定部７４において、携帯端末４のユーザは自らの必要性や嗜好に合った項目を自由に入力することができるので、各ユーザが最適な項目及び内容を作成することができる。
【００９９】
登録ボタン７５は、プロフィール登録内容を確定し、プロフィール情報をサーバ５の記憶部１８に格納するためのボタンである。登録ボタン７５によって確定された内容は、サーバ５のプロフィール処理部２３の処理を経て、親ＩＤとして対をなして登録されているリーダライタＩＤ及び非接触ＩＣチップＩＤと関連付けられて記憶部１８に格納される（第一のプロフィール情報保存手段）。
【０１００】
なお、かかるプロフィール情報の作成・更新は、プロフィール管理画面５１からプロフィール登録部５６を選択した場合に表示されるプロフィール登録画面７１において自由に行うことができる（情報変更手段）。従って、携帯端末４のユーザは、一旦プロフィール登録した後においても、登録内容を容易に上書きすることができる。
【０１０１】
図８のプロフィール画面８１は、ユーザ表示部８２と、ユーザ紹介部８３とを有している。
【０１０２】
ユーザ表示部８２は、画像選択部７３及び登録ボタン７５により選択・登録された画像が表示される。
【０１０３】
ユーザ紹介部８３は、文言設定部７４及び登録ボタン７５により入力・登録された送信者情報が表示される。
【０１０４】
次に、図９を参照して、サーバ５が、未登録の非接触ＩＣチップＩＤと、この非接触ＩＣチップＩＤ以外の非接触ＩＣチップＩＤが親ＩＤとして対をなして登録されたリーダライタＩＤとを受信する場合について説明する。図９では、携帯端末４の非接触ＩＣチップＩＤが未登録であり、携帯用リーダライタ３のリーダライタＩＤが携帯端末４以外の携帯端末の非接触ＩＣチップＩＤと親ＩＤとして対をなして登録されているものとする。なお、以下の実施の形態においても、携帯端末４とサーバ５との接続は、非接触ＩＣチップＩＤ受信手段、ＩＤ送信手段及びＩＤ受信手段を介して行われる。これらの非接触ＩＣチップＩＤ受信手段、ＩＤ送信手段及びＩＤ受信手段については、上述の、携帯用リーダライタ３のリーダライタＩＤ及び携帯端末４の非接触ＩＣチップＩＤが共に未登録である場合と同様であるため説明を省略する。
【０１０５】
サーバ５は、携帯端末４から暗号化されたリーダライタＩＤ及び非接触ＩＣチップＩＤを受信すると、これらのＩＤを復号化して、認証結果を携帯端末４に送信する。携帯端末４は、この認証を受けて、サーバ５のホームページへの接続要求を行う。これに対し、サーバ５は、接続許可を行い、ホームページ表示処理部の処理により、ホームページ画面３１を携帯端末４の表示部１１に表示させる（第二のホームページ表示手段）。
【０１０６】
次に、サーバ５は、携帯端末４の表示部１１に表示されるホームページ画面３１を介して、携帯端末４のユーザ登録を行う（第二のユーザ登録手段）。このユーザ登録方法は、携帯用リーダライタのリーダライタＩＤ及び携帯端末の非接触ＩＣチップＩＤが共に未登録である場合と同様である。
【０１０７】
また、サーバ５は、ＩＤ登録処理部の処理を経て、非接触ＩＣチップＩＤを親ＩＤとして記憶部１８に格納し、かつリーダライタＩＤをこの親ＩＤに対する子ＩＤとして関連付けて記憶部１８に格納する（第二のＩＤ登録手段）。なお、親ＩＤとして登録された非接触ＩＣチップＩＤは、第二のユーザ登録手段によって登録されたユーザ情報と関連付けて格納される。また、リーダライタＩＤ及び非接触ＩＣチップＩＤの登録は、必ずしもユーザ登録の後に行う必要はない。
【０１０８】
ユーザ登録の後、サーバ５は、プロフィール管理画面表示部の処理を経て、携帯端末４の表示部１１にプロフィール管理画面５１を表示させる（第二のプロフィール管理画面表示手段）。
【０１０９】
プロフィール管理画面５１を介して表示されるプロフィール登録画面７１におけるプロフィール登録手順は、携帯用リーダライタのリーダライタＩＤ及び携帯端末の非接触ＩＣチップＩＤが共に未登録である場合と同様であるため説明を省略する。プロフィール登録画面７１における入力及び送信操作に起因して記憶部１８に格納されるプロフィール情報は、親ＩＤとして登録される非接触ＩＣチップＩＤと関連付けて記憶部１８に格納される（第二のプロフィール情報保存手段）。
【０１１０】
続いて、図５を参照して、携帯端末４の非接触ＩＣチップ１５及び携帯用リーダライタ３の近距離無線通信によって行われるプロフィール交換について説明する。
【０１１１】
まず、プロフィール管理画面５１のプロフィール送信者表示部５３ａには、携帯端末４の非接触ＩＣチップＩＤに対し、子ＩＤとして関連付けられたリーダライタＩＤに係るユーザのニックネームが表示される。そして、携帯端末４のユーザが、携帯用リーダライタ３のユーザのニックネームを選択することにより、図１０に示すプロフィール画面９１が表示される。
【０１１２】
図１０のプロフィール画面９１は、ユーザ表示部９２と、ユーザ紹介部９３と、コメント表示部９４と、コメント編集部９５とを有している。
【０１１３】
ユーザ表示部９２は、プロフィール送信者を示す画像が表示される。具体的には、ユーザ表示部９２には、プロフィール送信者が、プロフィール管理画面５１を介して表示される画像選択部７３で選択し、サーバ５に登録された画像が表示される。
【０１１４】
ユーザ紹介部９３は、プロフィール送信者が入力した紹介記事が表示される。具体的には、ユーザ紹介部９３には、プロフィール送信者が、プロフィール管理画面５１を介して表示される文言設定部７４で入力し、サーバ５に登録された紹介記事が表示される。
【０１１５】
コメント表示部９４は、携帯端末４のユーザが、プロフィール画面９１に表示されるユーザについての情報として入力したコメントが表示される。このコメントは、コメント編集部９５へのアクセスを経て入力・変更される。
【０１１６】
コメント編集部９５は、携帯端末４のユーザが、コメント表示部９４に表示されるコメントを入力・変更するためのものである。図１１を参照して、コメント入力・変更手順について説明する。
【０１１７】
コメント編集画面１０１は、ユーザ表示部１０２と、ユーザ紹介部１０３と、コメント作成部１０４と、登録ボタン１０５とを有している。
【０１１８】
コメント作成部１０４は、携帯端末４のユーザが、プロフィール送信者に対するコメントを入力する欄である。携帯端末４のユーザに入力されたコメントは、登録ボタン１０５が押されることにより、コメント処理部２７の処理を経て記憶部１８に格納される（コメント追加手段）。
【０１１９】
コメント処理部２７のコメント処理機構について詳述する。まず、記憶部１８には、プロフィール画面１０１に表示されているユーザと携帯端末４のユーザとの関係によって定まる固有のＩＤが保存されている。そして、携帯端末４のユーザが、所望のコメントを入力又は変更して登録ボタン１０５を押すと、コメント処理部２７がこのコメントと上記ＩＤとを関連付けて記憶部１８に格納する。これにより、このコメントは、どのユーザからどのユーザに対するものであるかが一義的に確定される。その結果、携帯端末４のユーザは、プロフィール画面９１を表示させることにより、送信者によって入力された情報とともに、自らが入力したコメントを確認することができる。
【０１２０】
なお、プロフィール画面９１に表示される送信者のプロフィール情報は、親ＩＤとして対をなして登録されるリーダライタＩＤ及び非接触ＩＣチップＩＤと関連付けて登録されている。さらに、この親ＩＤとして登録されているリーダライタＩＤは、携帯端末４の非接触ＩＣチップＩＤに対する子ＩＤとして、この非接触ＩＣチップＩＤと関連付けて登録されている。従って、上記リーダライタＩＤに係るユーザが、プロフィール情報を事後的に変更した場合、この変更内容は、プロフィール画面９１上でもリアルタイムに反映される。その結果、当該情報交換システム１は、プロフィール送信者が、プロフィール画面９１に表示される情報を随時更新することにより、プロフィール情報を受信したユーザに対して、常に最新の情報を提供することができる。
【０１２１】
次に、図１２を参照して、サーバ５が、親として登録された非接触ＩＣチップＩＤと、この非接触ＩＣチップＩＤ以外の非接触ＩＣチップＩＤが親ＩＤとして対をなして登録されたリーダライタＩＤとを受信する場合について説明する。図１２では、携帯端末４の非接触ＩＣチップＩＤが親として登録されており、携帯用リーダライタ３のリーダライタＩＤが携帯端末４以外の携帯端末の非接触ＩＣチップＩＤと親ＩＤとして対をなして登録されているものとする。
【０１２２】
サーバ５は、携帯端末４から暗号化されたリーダライタＩＤ及び非接触ＩＣチップＩＤを受信すると、これらのＩＤを復号化して、認証結果を携帯端末４に送信する。携帯端末４は、この認証を受けて、サーバ５のホームページへの接続要求を行う。これに対し、サーバ５は、接続許可を行い、ホームページ表示処理部の処理により、ホームページ画面３１を携帯端末４の表示部１１に表示させる（第三のホームページ表示手段）。
【０１２３】
次に、サーバ５は、ＩＤ登録処理部の処理により、携帯用リーダライタ３のリーダライタＩＤを、親ＩＤとして登録されている携帯端末４の非接触ＩＣチップＩＤに対する子ＩＤとして関連付けて記憶部１８に格納する（第三のＩＤ登録手段）。このリーダライタＩＤの登録は、ホームページ画面表示前に行ってもよく、またログイン後に行ってもよい。
【０１２４】
続いて、携帯端末４のユーザは、ホームページ画面３１のメールアドレス入力部３２及びパスワード入力部３３に、ユーザ登録時に設定したメールアドレス及びパスワードを入力する。携帯端末４のユーザは、これらを入力したうえで、ログインボタン３６を押してサーバ５にログイン要求を行う。
【０１２５】
サーバ５は、携帯端末４から送信されたメールアドレス及びパスワードが事前の登録内容と合致していた場合に、携帯端末４のログインを許可する（第一のログイン手段）。なお、このようなログイン手段は周知の方法によって行われればよく、サーバ５に接続される認証装置等を介して行われてもよい。また、ログインのために必要となる情報は、必ずしもメールアドレス及びパスワードでなくてもよい。加えて、携帯端末４のユーザは、自動ログインボタン３７を利用することにより、自動ログインを行ってもよい。
【０１２６】
携帯端末４へのログイン許可の後、サーバ５は、プロフィール管理画面表示部の処理により、携帯端末４の表示部１１にプロフィール管理画面５１を表示させる。
【０１２７】
このプロフィール管理画面５１のプロフィール送信者表示部５３ａには、携帯端末４の非接触ＩＣチップＩＤに対し、子ＩＤとして関連付けられたリーダライタＩＤに係るユーザのニックネームが表示される。それ故、携帯端末４のユーザは、このニックネームを選択することにより、携帯用リーダライタ３のユーザのプロフィール情報を閲覧することができる。なお、プロフィール情報の閲覧に関する諸々の手順は、上述の、サーバ５が、未登録の非接触ＩＣチップＩＤと、この非接触ＩＣチップＩＤ以外の非接触ＩＣチップＩＤが親ＩＤとして対をなして登録されたリーダライタＩＤとを受信する場合と同様であるため説明を省略する。
【０１２８】
次に、図１３を参照して、サーバ５が、親として登録された非接触ＩＣチップＩＤと、未登録のリーダライタＩＤとを受信する場合について説明する。図１３では、携帯端末４の非接触ＩＣチップＩＤが親として登録されており、携帯用リーダライタ３のリーダライタＩＤが未登録であるものとする。
【０１２９】
サーバ５は、携帯端末４から暗号化されたリーダライタＩＤ及び非接触ＩＣチップＩＤを受信すると、これらのＩＤを復号化して、認証結果を携帯端末４に送信する。携帯端末４は、この認証を受けて、サーバ５のホームページへの接続要求を行う。これに対し、サーバ５は、接続許可を行い、ホームページ表示処理部の処理により、ホームページ画面３１を携帯端末４の表示部１１に表示させる（第四のホームページ表示手段）。
【０１３０】
次に、サーバ５は、ＩＤ登録処理部の処理によって、携帯用リーダライタ３のリーダライタＩＤを、親ＩＤとして登録されている携帯端末４の非接触ＩＣチップＩＤと対をなす親ＩＤとして関連付けて記憶部１８に格納する（第四のＩＤ登録手段）。このリーダライタＩＤの登録は、ホームページ画面３１の表示前に行ってもよく、またログイン後に行ってもよい。また、リーダライタＩＤの登録は、携帯端末４のユーザに所定の事項を入力させ、これらの入力事項が事前にサーバ５に登録されている内容と合致しているか否かを判断したうえで行うようにしてもよい。
【０１３１】
続いて、携帯端末４のユーザは、ホームページ画面３１のメールアドレス入力部３２及びパスワード入力部３３に、ユーザ登録時に設定したメールアドレス及びパスワードを入力する。携帯端末４のユーザは、これらを入力したうえで、ログインボタン３６を選択してサーバ５にログイン要求を行う。
【０１３２】
サーバ５は、携帯端末４から送信されたメールアドレス及びパスワードが事前の登録内容と合致していた場合に、携帯端末４のログインを許可する（第二のログイン手段）。なお、このログインは、自動ログインボタン３７を利用することにより行ってもよい。
【０１３３】
サーバ５は、携帯端末４へのログイン許可の後、プロフィール管理画面表示部の処理により、携帯端末４の表示部１１にプロフィール管理画面５１を表示させる。サーバ５がプロフィール管理画面５１を表示させる手順、及びこのプロフィール管理画面５１を介して子ＩＤとして関連付けられているリーダライタＩＤに係るユーザのプロフィール情報を閲覧する手順等は、上述の、サーバ５が、親として登録された非接触ＩＣチップＩＤと、この非接触ＩＣチップＩＤ以外の非接触ＩＣチップＩＤが親ＩＤとして対をなして登録されたリーダライタＩＤとを受信する場合と同様であるため説明を省略する。
【０１３４】
次に、図１４を参照して、サーバ５が、親ＩＤとして対をなして登録されたリーダライタＩＤと非接触ＩＣチップＩＤとを受信する場合について説明する。図１４では、携帯端末４の非接触ＩＣチップＩＤ及び携帯用リーダライタ３のリーダライタＩＤが対をなす親ＩＤとして登録されているものとする。
【０１３５】
サーバ５は、携帯端末４から暗号化されたリーダライタＩＤ及び非接触ＩＣチップＩＤを受信すると、これらのＩＤを復号化して、認証結果を携帯端末４に送信する。携帯端末４は、この認証を受けて、サーバ５のホームページへの接続要求を行う。これに対し、サーバ５は、接続許可を行い、ホームページ表示処理部の処理により、ホームページ画面３１を携帯端末４の表示部１１に表示させる（第五のホームページ表示手段）。
【０１３６】
続いて、携帯端末４のユーザは、ホームページ画面３１のメールアドレス入力部３２及びパスワード入力部３３に、ユーザ登録時に設定したメールアドレス及びパスワードを入力する。携帯端末４のユーザは、これらを入力したうえで、ログインボタン３６を押してサーバ５にログイン要求を行う。
【０１３７】
サーバ５は、携帯端末４から送信されたメールアドレス及びパスワードが事前の登録内容と合致していた場合に、携帯端末４のログインを許可する（第三のログイン手段）。なお、このログインは、自動ログインボタン３７を利用することにより行ってもよい。
【０１３８】
サーバ５は、携帯端末４へのログイン許可の後、プロフィール管理画面表示部の処理により、携帯端末４の表示部１１にプロフィール管理画面５１を表示させる。サーバ５がプロフィール画面５１を表示させる手順、及びこのプロフィール管理画面５１を介して子ＩＤとして関連付けられているリーダライタＩＤに係るユーザのプロフィール情報を閲覧する手順等は、上述の、サーバ５が、親として登録された非接触ＩＣチップＩＤと、この非接触ＩＣチップＩＤ以外の非接触ＩＣチップＩＤが親ＩＤとして対をなして登録されたリーダライタＩＤとを受信する場合と同様であるため説明を省略する。
【０１３９】
当該情報交換システム１は、携帯端末４の表示部１１にホームページ画面３１を表示させるための方法として、ホームページ画面３１に固有のＵＲＬを携帯端末４のユーザにブックマークとして使用させてもよい（第六のホームページ表示手段）。具体的には、携帯端末４のユーザは、ユーザ登録画面４１において所定の入力事項を入力したうえで登録ボタン４３を押す。これに対して、サーバ５は、これらの入力事項を記憶部１８に格納するとともに、携帯端末４に対して、ホームページ画面３１に接続するための固有のＵＲＬを返信する。携帯端末４のユーザは、このＵＲＬをブックマークとして使用することで、ホームページ画面３１にアクセス可能となる。このような方法によれば、当該情報交換システム１は、親ＩＤを有する携帯用リーダライタ３を保持しないユーザであっても、容易に利用することができる。その結果、当該情報交換システム１は、さらにユーザを拡大することができ、普及性を高めることができる。
【０１４０】
当該情報交換システム１は、プロフィール情報受信者の携帯端末４に内蔵される非接触ＩＣチップＩＤ及びプロフィール情報送信者のリーダライタＩＤを近距離無線通信することによりプロフィール交換をすることができるので、プロフィール情報送信者としては、従来のように名刺を一枚づつ持ち運ぶ必要がなく、名刺不足となるおそれがない。一方、当該情報交換システム１は、プロフィール情報受信者としては、サーバ５に保存されるプロフィール情報を検索することにより送信者情報を得ることができるので、所望のプロフィール情報を効率的に探すことができる。加えて、当該情報交換システム１は、多数の紙名刺を保管、管理等する必要がないので、保管スペースを削減することができる。
【０１４１】
当該情報交換システム１は、自らが携帯用リーダライタ３を所有していない場合であっても他のユーザのプロフィール情報を閲覧することができる。その結果、当該情報交換システム１は、著しく利便性を向上することができる。
【０１４２】
当該情報交換システム１は、親として登録された携帯端末４の非接触ＩＣチップ以外の非接触ＩＣチップＩＤが親ＩＤとして対をなして登録されたリーダライタＩＤを、携帯端末４の非接触ＩＣチップＩＤに対する子ＩＤとして容易に登録することができる。その結果、当該情報交換システム１は、一旦親として登録された非接触ＩＣチップＩＤを有する携帯端末４のユーザと他のユーザとのプロフィール交換をさらに効率的に行うことができる。
【０１４３】
当該情報交換システム１は、新たに所持した携帯用リーダライタのＩＤを、既に親として登録されている非接触ＩＣチップＩＤと対をなす親ＩＤとして容易に登録することができる。従って、当該情報交換システム１は、新たに携帯用リーダライタ３を所持することで、自らのプロフィール情報を他のユーザに容易に送信することができる。
【０１４４】
当該情報交換システム１は、親ＩＤを有する携帯用リーダライタ３と、親ＩＤを有する非接触ＩＣチップを内蔵した携帯端末４とを有していれば、いつでもホームページ画面３１及びこれを介して表示されるプロフィール管理画面５１を閲覧することができる。その結果、当該情報交換システム１は、送信者のプロフィール情報を、このプロフィール管理画面５１からいつでも閲覧することができ、利便性をさらに向上することができる。
【０１４５】
当該情報交換システム１は、親ＩＤとして登録されている非接触ＩＣチップＩＤを有する携帯端末４のユーザと、この非接触ＩＣチップＩＤと関連付けて登録されている他のユーザとの間でメッセージの送受信を行うことができるので、所望の情報を特定の相手に対してのみ伝達することができる。また、当該情報交換システム１は、常時閲覧する必要のない、その場限りの情報の伝達を好適に行うことができる。
【０１４６】
当該情報交換システム１は、送信者のプロフィール情報を受信者側において追加することができるので、プロフィール情報の受信者が、必要な情報を任意に追加することができる。
【０１４７】
当該情報交換システム１は、携帯用リーダライタ３が有する送信スイッチを押すことにより携帯端末４とサーバ５とが接続される。従って、当該情報交換システム１は、携帯用リーダライタ３が第三者の携帯端末４と近接した場合であっても、送信スイッチを押さない限りこの第三者の携帯端末にユーザの情報が漏洩することがない。それ故、当該情報交換システム１は、高い情報漏洩防止機能を有している。
【０１４８】
図１５の情報交換システム１１１は、ネットワーク２と、携帯用リーダライタ３と、携帯端末４と、サーバ１１２とを有している。以下の説明において、図１の情報交換システム１と同様の構成については同一番号を付して適宜説明を省略する。
【０１４９】
サーバ１１２は、通信部１６と、制御部１１３と、記憶部１８とを有している。
【０１５０】
制御部１１３は、通信制御部１９と、登録処理部２０と、ウェブページ表示処理部２１と、ログイン処理部２２と、プロフィール処理部２３と、プロフィール更新処理部２４と、ニックネーム表示処理部２５と、メッセージ処理部２６と、コメント処理部２７と、会員番号登録処理部１１４とを有している。
【０１５１】
会員番号登録処理部１１４は、１又は複数の携帯用リーダライタ３に対応可能な会員番号を付与するための処理を行う。会員番号登録処理部１１４は、１個の非接触ＩＣチップ１５に対して１個の会員番号を付与することができる。会員番号登録処理部１１４は、携帯端末４のユーザからの会員申請を受け付けると、携帯端末４の非接触ＩＣチップＩＤに対して会員番号が発行されていないことを確認したうえで、この非接触ＩＣチップＩＤに固有の会員番号を付与する。また、会員番号登録処理部１１４は、この会員番号を携帯端末４の非接触ＩＣチップＩＤ、及びこの非接触ＩＣチップＩＤと対をなす親ＩＤとして登録されるリーダライタＩＤと関連付けて記憶部１８に格納する。
【０１５２】
図１６、１７を参照して、会員番号の付与について説明する。
【０１５３】
図１６のプロフィール管理画面１２１は、ユーザメニュー部１２２と、プロフィール交換部５３とを有している。
【０１５４】
ユーザメニュー部１２２は、メッセージ受信部５４と、ホームページプレビュー部５５と、プロフィール登録部５６と、マイ画像登録・削除部５７と、同報メール作成部５８と、ユーザ情報登録部５９と、会員番号付与部１２３とを有している。
【０１５５】
会員番号付与部１２３は、携帯端末４のユーザに選択されることで、図１７の会員番号申請画面１３１を表示する。
【０１５６】
会員番号申請画面１３１は、会員情報入力部１３２と、登録ボタン１３３とを有している。
【０１５７】
会員情報入力部１３２は、会員番号の付与を求める者が、自身の身元を明らかにするためのものである。
【０１５８】
登録ボタン１３３は、会員情報入力部１３２に入力された情報をサーバ５の記憶部１８に格納するためのものである。
【０１５９】
会員番号付与手順について説明する。
【０１６０】
会員番号の付与は、プロフィール管理画面１２１及びこれを介して表示される会員番号申請画面１３１における入力及び送信操作に起因して行われる。プロフィール管理画面１２１の表示手順は、図１の情報交換システム１と同様であるため説明を省略する。
【０１６１】
まず、携帯端末４のユーザは、プロフィール管理画面１２１の会員番号付与部１２３を押し、携帯端末４の表示部１１に会員番号申請画面１３１を表示させる。次に、携帯端末４のユーザは、会員情報入力部１３２に所定の事項を入力する。携帯端末４のユーザは、必要事項を入力したうえ、登録ボタン１３３を押す。サーバ１１２は、携帯端末４の非接触ＩＣチップＩＤに対して会員番号が発行されていないことを確認したうえで、入力事項を記憶部１８に格納する。サーバ１１２は、この入力事項を、携帯端末４の非接触ＩＣチップＩＤと関連付けて格納する。また、サーバ１１２は、携帯端末４の非接触ＩＣチップＩＤに固有の会員番号を付与する（会員番号付与手段）。サーバ１１２は、かかる会員番号を、携帯端末４の非接触ＩＣチップＩＤ及びこの非接触ＩＣチップＩＤと親ＩＤとして対をなして登録されているリーダライタＩＤと関連付けて記憶部１８に格納する（会員番号登録手段）。これにより、親ＩＤを有する非接触ＩＣチップＩＤ及びリーダライタＩＤと会員番号とが関連付けられる。さらに、サーバ１１２は、会員番号を携帯端末４の非接触ＩＣチップ１５に送信する。その結果、携帯端末４のユーザは、プロフィール管理画面１２１のメッセージ受信部５４を選択し、サーバ１１２から送信されたメールを閲覧することで会員番号を確認することができる。
【０１６２】
当該情報交換システム１１１は、携帯端末４の非接触ＩＣチップＩＤと会員番号とが関連付けて登録されている。それ故、当該情報交換システム１１１は、この非接触ＩＣチップＩＤと親ＩＤとして対をなして登録されるリーダライタＩＤも会員番号と関連付けて登録されることになる。その結果、当該情報交換システム１１１は、この非接触ＩＣチップＩＤに対し、複数のリーダライタＩＤを親ＩＤとして登録することにより、会員番号と関連付けられる複数の携帯用リーダライタ３を具備することができる。
【０１６３】
当該情報交換システム１１１は、携帯端末４の非接触ＩＣチップＩＤ、及びこの非接触ＩＣチップＩＤと親ＩＤとして対をなして登録される１又は複数のリーダライタＩＤを会員番号と関連付けて登録することができる。従って、当該情報交換システム１は、所定の資格を有する者に会員番号を付与して代理店とし、この代理店が有する携帯用リーダライタ３を介して非接触ＩＣチップＩＤの新規登録を促すことにより、代理店を介して利用者を管理することができる。また、当該情報交換システム１１１は、会員番号を付与された代理店の管理状態を監視し、代理店に対して業績に見合った報酬等を付与することができる。
【０１６４】
図１８の情報交換システム１４１は、ネットワーク２と、携帯端末１４２と、サーバ１４３とを有している。以下の説明において、図１の情報交換システム１及び図１５の情報交換システム１１１と同様の構成については同一番号を付して適宜説明を省略する。
【０１６５】
携帯端末１４２は、通信部９と、入力部１０と、表示部１１と、制御部１２と、記憶部１３と、リーダライタ１４４とを有している。携帯端末１４２は、リーダライタ１４４を内蔵することにより、携帯端末としての機能とともに携帯用リーダライタとしての機能も有している。リーダライタ１４４は、通信部と、通信制御部と、記憶部とを有している（いずれも図示せず）。
【０１６６】
サーバ１４３は、通信部１６と、制御部１４５と、記憶部１８とを有している。
【０１６７】
制御部１４５は、通信制御部１９と、登録処理部１４６と、ウェブページ表示処理部２１と、ログイン処理部１４７と、プロフィール処理部１４８と、プロフィール更新処理部２４と、ニックネーム表示処理部２５と、メッセージ処理部２６と、コメント処理部２７とを有している。
【０１６８】
登録処理部１４６は、ＩＤ登録処理部と、ユーザ登録処理部とを有している。
【０１６９】
ＩＤ登録処理部は、送信されるリーダライタＩＤ又は非接触ＩＣチップＩＤがサーバ１４３に未登録の場合、これらの未登録ＩＤを新規に受信した親ＩＤとして登録する。他方、ＩＤ登録部は、送信されるリーダライタＩＤが別の非接触ＩＣチップＩＤとの関係で、親ＩＤとして既に登録されている場合、このリーダライタＩＤを共に送信される非接触ＩＣチップＩＤと関連付けて子ＩＤとして登録する。
【０１７０】
ユーザ登録処理部は、携帯端末１４２のユーザによる入力及び送信操作に基づいて、携帯端末１４２のユーザ情報を登録する。また、ユーザ登録処理部は、携帯端末１４２の個体識別情報を受信して、この個体識別情報を登録する。ユーザ登録部は、携帯端末１４２から送信されるユーザ情報をユーザ固有のユーザＩＤ及びＩＤ登録処理部によって登録された親ＩＤと関連付けて記憶部１８に格納する。また、ユーザ登録処理部は、携帯端末１４２の個体識別情報をユーザ情報、ユーザＩＤ及び親ＩＤと関連付けて記憶部１８に格納する。
【０１７１】
ログイン処理部１４７は、携帯端末１４２からログイン要求が行われた際にこのログイン要求を受けるとともに携帯端末１４２の個体識別情報を取得する。ログイン処理部１４７は、この個体識別情報とユーザ登録処理部の処理を経て予め記憶部１８に格納されている個体識別情報とが一致しているかを判断する。ログイン処理部１４７は、かかる個体識別情報が一致していると判断した場合にログイン許可を行う。他方、ログイン処理部１４７は、個体識別情報が一致していないと判断した場合、ログイン要求を拒絶する。
【０１７２】
プロフィール処理部１４８は、携帯端末１４２から入力されるプロフィール情報を、親ＩＤを有するリーダライタＩＤ及び親ＩＤを有する非接触ＩＣチップＩＤと関連付けて記憶部１８に格納する。また、プロフィール処理部１４８は、記憶部１８に格納されているプロフィール情報を親ＩＤ又は親ＩＤ以外のＩＤを有する携帯端末からの要求に応じて送信する。
【０１７３】
プロフィール処理部１４８は、コード発行処理部を有している。コード発行処理部は、親ＩＤを有する非接触ＩＣチップ１５を備える携帯端末１４２からの要求に基づき、携帯端末１４２に対して、数桁の数字やアルファベット等からなる所定のプロフィール情報発行コードを発行する。また、プロフィール発行部は、携帯端末１４２に対して発行したプロフィール情報発行コードを携帯端末１４２又は他の携帯端末から受信すると、この携帯端末に対し、携帯端末１４２のユーザのプロフィール情報を送信する。
【０１７４】
次に、サーバ１４３が、携帯端末１４２に内蔵されるリーダライタ１４４のリーダライタＩＤ及び非接触ＩＣチップＩＤを親ＩＤとして対をなして登録する手順について説明する。
【０１７５】
携帯端末１４２のユーザは、所定のアプリ等を起動させ、表示されるホームページ画面（図示せず）にユーザＩＤ、パスワード等所定のユーザ情報を入力する。携帯端末１４２のユーザは、これらのユーザ情報の入力後、送信ボタンを押すことによってユーザ情報をサーバ１４３に送信する。また、携帯端末１４２に内蔵されるリーダライタ１４４と非接触ＩＣチップ１５とは、ユーザによって送信ボタンが押されると、これを起点として近距離無線通信を行う。リーダライタ１４４は、非接触ＩＣチップ１５から非接触ＩＣチップＩＤを受信すると、リーダライタＩＤ及び受信した非接触ＩＣチップＩＤを乱数表に基づいて暗号化したうえで非接触ＩＣチップ１５に送信する。非接触ＩＣチップ１５は、これらの暗号化されたリーダライタＩＤ及び非接触ＩＣチップＩＤを受信したうえ、これらのリーダライタＩＤ及び非接触ＩＣチップＩＤをサーバ１４３に送信する。
【０１７６】
サーバ１４３は、非接触ＩＣチップ１５からリーダライタＩＤ及び非接触ＩＣチップＩＤを受信すると、これらのリーダライタＩＤ及び非接触ＩＣチップＩＤを、ＩＤ登録処理部の処理を経て、対をなす親ＩＤとして記憶部１８に格納する。
【０１７７】
また、サーバ１４３は、携帯端末１４２から送信されるユーザ情報をユーザ登録処理部の処理を経て記憶部１８に格納する。ＩＤ登録処理部の処理を経て登録されるリーダライタＩＤ及び非接触ＩＣチップＩＤと、ユーザ登録処理部の処理を経て登録されるユーザ情報とは、相互に関連付けて記憶部１８に格納される。
【０１７８】
なお、リーダライタ１４４と非接触ＩＣチップ１５との近距離無線通信は、必ずしも送信ボタンを押されることを起点として行われる必要はなく、ユーザ情報の登録手続とは別途行われてもよい。
【０１７９】
また、携帯端末１４２が内蔵するリーダライタ１４４と、他の携帯端末が有する非接触ＩＣチップとによって行われる近距離無線通信は、携帯端末１４２に所定のアプリを起動させたうえで、携帯端末１４２と他の携帯端末とを近接させることにより行うことができる。
【０１８０】
続いて、携帯端末１４２のユーザがサーバ１４３にログインするためのログイン手順について説明する。まず、サーバ１４３は、携帯端末１４２のユーザのユーザＩＤ、パスワード等を登録する際又はかかる登録の際と前後して携帯端末１４２の個体識別情報を受信する。サーバ１４３は、携帯端末１４２の個体識別情報をユーザ登録処理部の処理を経て記憶部１８に格納する。携帯端末１４２の個体識別情報は、携帯端末１４２のユーザのユーザＩＤ及びパスワードと関連付けて記憶部１８に格納される。
【０１８１】
ログイン処理部１４７は、携帯端末１４２からホームページ画面におけるユーザの操作を介してログイン要求を受けると、このログイン要求とともに携帯端末１４２の個体識別情報を受信する。ログイン処理部１４７は、携帯端末１４２からのログイン要求の際に受信した個体識別情報と、予め記憶部１８に格納されている個体識別情報とを照合し、これらが一致していた場合にログインを許可する。なお、このようなログインは、必ずしも携帯端末１４２が有する個体識別情報による必要はなく、例えば、携帯端末１４２のユーザ情報登録時に、Ｃｏｏｋｉｅに携帯端末１４２専用の個体識別情報をサーバ１４３側で発行して書き込むようにしてもよい。
【０１８２】
次に、コード発行処理部の処理を介してプロフィール情報を他のユーザに閲覧させる手順について説明する。なお、ここでは、携帯端末１４２のユーザは、自らのプロフィール情報を既にサーバ１４３に登録しているものとする。
【０１８３】
まず、携帯端末１４２のユーザは、サーバ１４３にログインして、携帯端末１４２の表示部１１にプロフィール管理画面（図示せず）を表示させる。携帯端末１４２のユーザは、このプロフィール管理画面又はこのプロフィール管理画面を経て表示される他の画面を介し、サーバ１４３に対して、他のユーザにプロフィール情報を閲覧させるためのプロフィール情報発行コードの発行要求を行う。サーバ１４３は、携帯端末１４２のユーザからプロフィール発行コードの発行要求を受けると、コード発行部の処理により、携帯端末１４２のユーザのプロフィール情報と関連付けられた、数桁の数字やアルファベット等からなる所定のプロフィール情報発行コードを携帯端末１４２に送信する。携帯端末１４２のユーザは、かかるプロフィール発行コードを受け取ると、このプロフィール発行コードをプロフィールを閲覧させたいユーザに通知する。このようなプロフィール発行コードの通知は、メールによって行われてもよく、また口頭その他の伝達手段によって行われてもよい。このプロフィール発行コードを受け取ったユーザは、ホームページ画面その他所定の画面からこのプロフィール発行コードを入力してサーバ１４３に送信する。サーバ１４３は、このプロフィール発行コードを受信すると、コード発行処理部の処理を経て、このユーザの携帯端末に対し、プロフィール発行コードの発行要求を行った携帯端末１４２のユーザのプロフィール情報を表示させる。
【０１８４】
当該情報交換システム１４１は、リーダライタ１４４が携帯端末１４２に内蔵されていることにより、携帯用リーダライタと携帯端末とが一体ものとして構成されている。その結果、当該情報交換システム１４１は、ユーザが携帯端末とリーダライタとを個別に保有する必要がなく、携帯性を向上させることができる。また、当該情報交換システム１４１は、予めリーダライタが携帯端末に内蔵されているので、ユーザにおいて別途リーダライタを用意する必要がない。従って、当該情報交換システム１４１は、新たなユーザを容易に獲得することができる。
【０１８５】
当該情報交換システム１４１は、携帯端末１４２に固有の個体識別情報を用いることによりログイン手続を簡素化することができる。従って、当該情報交換システム１４１は、ユーザの利便性を向上させることができる。
【０１８６】
当該情報交換システム１４１は、所定のプロフィール発行コードを利用することによりプロフィール情報を交換することができる。従って、当該情報交換システム１４１は、携帯用リーダライタを有していないユーザでも自らのプロフィール情報を他のユーザに閲覧させることができる。また、当該情報交換システム１４１は、遠隔地のユーザ同士でも容易にプロフィール情報を交換することができる。
【０１８７】
なお、当該情報交換システムは、上記態様の他、種々の変更、改良を施した態様で実施することができる。例えば、ホームページ画面におけるユーザ登録又はログインの後に表示される画面は、必ずしもプロフィール管理画面でなくてもよく、自身の又はプロフィール交換した相手のプロフィール情報が表示されてもよい。また、メッセージの送受信機能は、プロフィールの送信者及び受信者のいずれからも送受信できるような態様でなくてもよく、プロフィールの受信者側からのみ送信できるような態様にしてもよい。このような態様によれば、プロフィールの送信者側から迷惑メール等が送信されるのを防止することができる。さらに、１つの非接触ＩＣチップＩＤと親ＩＤとして対をなして登録することのできる携帯用リーダライタ数及び／又は１つの会員番号と関連付けて登録可能なリーダライタＩＤの数を所定の数量に限定してもよい。これにより、ユーザ管理の容易性を高めることができる。また、携帯用リーダライタの保有者と非保有者においてサービス内容に差違を設けてもよい。加えて、当該情報交換システムは、上述した機能に加えて、掲示板機能、アンケート集計機能、予約機能、待ち時間表示機能、販売・Ｅコマース機能、抽選機能、動画メッセージ機能、勤怠管理機能等、種々の機能を追加することができるのは勿論である。
【産業上の利用可能性】
【０１８８】
以上説明したように、本発明の情報交換システムは、情報の受取人としては、従来の紙製の名刺では必要とされたような保管スペースを省略することができるとともに、検索容易性を高めることができ、他方、情報の引渡人としては、名刺不足の心配を解消できるとともに、記載内容を事後的に容易に変更することができるので、ビジネス及びプライベートの場で行う名刺交換や、店舗等から顧客に対して行うキャンペーン情報の提供、緊急時の身元確認等、様々な場における情報の授受に適している。
【符号の説明】
【０１８９】
１  情報交換システム
２  ネットワーク
３  携帯用リーダライタ
４  携帯端末
５  サーバ
６  通信部
７  通信制御部
８  記憶部
９  通信部
１０  入力部
１１  表示部
１２  制御部
１３  記憶部
１４  通信制御部
１５  非接触ＩＣチップ
１６  通信部
１７  制御部
１８  記憶部
１９  通信制御部
２０  登録処理部
２１  ウェブページ表示処理部
２２  ログイン処理部
２３  プロフィール処理部
２４  プロフィール更新処理部
２５  ニックネーム表示処理部
２６  メッセージ処理部
２７  コメント処理部
３１  ホームページ画面
３２  メールアドレス入力部
３３  パスワード入力部
３４  自動ログインボタン
３５  パスワード確認ボタン
３６  ログインボタン
３７  新規登録ボタン
４１  ユーザ登録画面
４２  ユーザ情報入力部
４３  登録ボタン
５１  プロフィール管理画面
５２  ユーザメニュー部
５３  プロフィール交換部
５４  メッセージ受信部
５５  プロフィール画面プレビュー部
５６  プロフィール登録部
５７  マイ画像登録・削除部
５８  同報メール作成部
５９  ユーザ情報登録部
６１  マイ画像登録画面
６２  マイ画像登録部
６３  マイ画像削除部
６４  マイ画像削除画面
６５  削除画像表示部
６６  削除画像選択部
６７  削除ボタン
７１  プロフィール登録画面
７２  デザインパターン選択部
７３  画像選択部
７４  文言設定部
７５  登録ボタン
８１  プロフィール画面
８２  ユーザ表示部
８３  ユーザ紹介部
９１  プロフィール画面
９２  ユーザ表示部
９３  ユーザ紹介部
９４  コメント表示部
９５  コメント編集部
１０１  コメント編集画面
１０２  ユーザ表示部
１０３  ユーザ紹介部
１０４  コメント作成部
１０５  登録ボタン
１１１  情報交換システム
１１２  サーバ
１１３  制御部
１１４  会員番号登録処理部
１２１  プロフィール管理画面
１２２  ユーザメニュー部
１２３  会員番号付与部
１３１  会員番号申請画面
１３２  会員情報入力部
１３３  登録ボタン
１４１  情報交換システム
１４２  携帯端末
１４３  サーバ
１４４  リーダライタ
１４５  制御部
１４６  登録処理部
１４７  ログイン処理部
１４８  プロフィール処理部
【図１】
2011227881.tif 000003
【図２】
2011227881.tif 000004
【図３】
2011227881.tif 000005
【図４】
2011227881.tif 000006
【図５】
2011227881.tif 000007
【図６】
2011227881.tif 000008
【図７】
2011227881.tif 000009
【図８】
2011227881.tif 000010
【図９】
2011227881.tif 000011
【図１０】
2011227881.tif 000012
【図１１】
2011227881.tif 000013
【図１２】
2011227881.tif 000014
【図１３】
2011227881.tif 000015
【図１４】
2011227881.tif 000016
【図１５】
2011227881.tif 000017
【図１６】
2011227881.tif 000018
【図１７】
2011227881.tif 000019
【図１８】
2011227881.tif 000020